(57)【要約】【課題】ホルダに板バネを容易に固定でき、ホルダと板バネの高い接合強度を得ることができるカメラモジュールを提供すること。【解決手段】下部板バネ３０の内環部３０ｂはその外周縁に係合手段である切欠き３１を有し、ホルダ８はホルダ８の円筒縁部８ｂの周囲に配設されると共に下部板バネ３０を回転させることにより内環部３０ｂの切欠き３１に係合される被係合手段である突起８０と、内環部３０ｂをレンズユニットの光軸方向において係止する係止手段である押え片８３とを有していることを特徴とする。【選択図】図４
2008058734.tif 000002
【特許請求の範囲】
【請求項１】
カメラモジュールの光学系を構成するレンズユニットと、
前記レンズユニットを収容すると共に前記レンズユニットの光軸方向に沿って変位可能であり、円筒縁部を有する円筒状のホルダと、
前記ホルダに設けられているコイルと、
前記コイルに磁界を提供するヨーク及びマグネットと、
前記ホルダを支持する板バネと、
前記レンズユニットの下方に配置されている撮像素子とを有するカメラモジュールにおいて、
前記板バネは、外環部と、前記外環部に対して変位すると共に前記ホルダに固定されている内環部と、前記内環部の側の基部を有すると共に前記内環部を前記外環部に対して支持している複数の架橋部とを有し、
前記内環部は前記内環部の外周縁に係合手段を有し、
前記ホルダは、前記ホルダの前記円筒縁部の周囲に配設されると共に前記板バネを回転させることにより前記内環部の前記係合手段に係合される被係合手段と、前記板バネの前記内環部側の基部を前記レンズユニットの光軸方向において係止する係止手段とを有していることを特徴とするカメラモジュール。
【請求項２】
カメラモジュールの光学系を構成するレンズユニットと、
前記レンズユニットを収容すると共に前記レンズユニットの光軸方向に沿って変位可能であり、円筒縁部を有する円筒状のホルダと、
前記ホルダに設けられているコイルと、
前記コイルに磁界を提供するヨーク及びマグネットと、
前記ホルダを支持する板バネと、
前記レンズユニットの下方に配置されている撮像素子とを有するカメラモジュールにおいて、
前記カメラモジュールは、前記ホルダと係合可能であると共に内周縁を有するリング状部材を有し、
前記板バネは、外環部と、前記外環部に対して変位すると共に前記ホルダに固定されている内環部と、前記内環部を前記外環部に対して支持している複数の架橋部とを有し、
前記リング状部材は前記内周縁に係合手段を有し、
前記ホルダは、前記ホルダの前記円筒縁部に配設されると共に前記リング状部材を回転させることにより前記リング状部材の係合手段に係合される被係合手段を有し、
前記ホルダの前記円筒縁部と前記リング状部材との間において前記板バネの前記内環部が固定されていることを特徴とするカメラモジュール。
【請求項３】
前記リング状部材は、前記ホルダの変位範囲を規制するストッパである請求項２記載のカメラモジュール。
【発明の詳細な説明】
【技術分野】
【０００１】
本発明は、カメラモジュールに関し、さらに詳しくは、比較的小型のデジタルカメラやカメラ付携帯電話などのカメラ付き小型電子機器に用いることができるカメラモジュールに関する。
【背景技術】
【０００２】
比較的小型のデジタルカメラなどにおいて、オートフォーカスやズーム等を目的として、コイルに流れる電流により発生する磁界と、ヨーク及びマグネットにより構成された磁気回路の磁界との相互作用によって、光軸方向にレンズユニットを変位させることができるカメラモジュールが使用されている。
【０００３】
このようなカメラモジュールには、レンズユニットを保持しているバレル、及びこのバレルを保持しているホルダを光軸方向に変位可能に支持するための板バネが使用されている。
【０００４】
図１０は、このようなカメラモジュールのレンズユニット（図示せず）を光軸方向に変位させるためのアクチュエータ機構１００の分解斜視図である。なお、撮像素子（図示せず）はベース１１１の下方に配置されている。
【０００５】
カバー１０１とベース１１１との間の空間には、レンズユニットを保持するバレル（図示せず）を保持しているホルダ１０８がレンズユニットの光軸方向へ変位可能に収容されている。
【０００６】
ホルダ１０８の上下の各円筒縁部には上部板バネ１０４の内環部１０４ｂと下部板バネ１１０の内環部１１０ｂがそれぞれ接着されており、上部板バネ１０４の外環部１０４ａはベース１１１に固定されているヨーク１０５の上面に接着されており、下部板バネ１１０の外環部１１０ａはベース１１１に接着されている。また、このホルダ１０８の上縁部には、符号１０２により示すストッパが部材が上部板バネ１０４の内環部１０４ｂの上面に接着されている。
【０００７】
この上部板バネ１０４と下部板バネ１１０のそれぞれの外環部１０４ａ、１１０ａと内環部１０４ｂ、１１０ｂとの間に形成されている各３本の架橋部１０４ｃ、１１０ｃが撓むことによりホルダ１０８がレンズユニットの光軸方向へ変位することができる。
【０００８】
上記ヨーク１０５には複数のマグネット片１０６が接着されており磁気回路を構成している。そしてこの磁気回路により形成された磁界にコイル１０７が配置されている。このコイル１０７はホルダ１０８の外周に巻回されており、コイル１０７に電流を供給することによりホルダ１０８をレンズユニットの光軸方向へ変位させる駆動力を得る。なお、符号１０３により示す部材はコイル１０７へ電流を供給するためのフレキシブルプリント基板であり、符号１０９により示す部材は下部板バネ１１０とヨーク１０５の底面との間に装着されるプレートである。
【０００９】
なお、上記アクチュエータ機構１００に類似するアクチュエータ機構が特許文献１に開示されている。
【００１０】
【特許文献１】特開2004-280031
【発明の開示】
【発明が解決しようとする課題】
【００１１】
上記のようにホルダ１０８の上下の各円筒縁部に上部板バネ１０４や下部板バネ１１０を合成樹脂（エポキシ樹脂等）によって接着する場合、合成樹脂をホルダ１０８の円筒縁部に塗布しなければならない。しかし、このホルダ１０８の円筒縁部の縁幅は非常に狭いため、この合成樹脂の塗布作業を慎重に行う必要があり、塗布作業の作業時間の短縮化を図ることができないという問題がある。さらに、合成樹脂の硬化時間を必要とするため、塗布作業後に一定時間放置する必要があり、製造時間の短縮化を図ることができないという問題がある。
【００１２】
また、ホルダ１０８の円筒縁部の接着面積が小さい場合や合成樹脂による接着状態が完全ではない場合には、十分な接着強度を確保することができない。このような場合において、カメラモジュールを搭載した小型電子機器を誤って落下させると、その落下衝撃によって上部板バネ１０４や下部板バネ１１０がホルダ１０８から剥離してしまうという問題がある。
【００１３】
本発明は上記問題点に鑑み、ホルダに板バネを容易に固定でき、ホルダと板バネの高い接合強度を得ることができるカメラモジュールを提供することを目的とする。
【課題を解決するための手段】
【００１４】
本発明に係るカメラモジュールは、カメラモジュールの光学系を構成するレンズユニットと、前記レンズユニットを収容すると共に前記レンズユニットの光軸方向に沿って変位可能であり、円筒縁部を有する円筒状のホルダと、前記ホルダに設けられているコイルと、前記コイルに磁界を提供するヨーク及びマグネットと、前記ホルダを支持する板バネと、前記レンズユニットの下方に配置されている撮像素子とを有するカメラモジュールにおいて、前記板バネは、外環部と、前記外環部に対して変位すると共に前記ホルダに固定されている内環部と、前記内環部の側の基部を有すると共に前記内環部を前記外環部に対して支持している複数の架橋部とを有し、前記内環部は前記内環部の外周縁に係合手段を有し、前記ホルダは、前記ホルダの前記円筒縁部の周囲に配設されると共に前記板バネを回転させることにより前記内環部の前記係合手段に係合される被係合手段と、前記板バネの前記内環部側の基部を前記レンズユニットの光軸方向において係止する係止手段とを有していることを特徴とする。
【００１５】
さらに、本発明に係るカメラモジュールは、カメラモジュールの光学系を構成するレンズユニットと、前記レンズユニットを収容すると共に前記レンズユニットの光軸方向に沿って変位可能であり、円筒縁部を有する円筒状のホルダと、前記ホルダに設けられているコイルと、前記コイルに磁界を提供するヨーク及びマグネットと、前記ホルダを支持する板バネと、前記レンズユニットの下方に配置されている撮像素子とを有するカメラモジュールにおいて、前記カメラモジュールは、前記ホルダと係合可能であると共に内周縁を有するリング状部材を有し、前記板バネは、外環部と、前記外環部に対して変位すると共に前記ホルダに固定されている内環部と、前記内環部を前記外環部に対して支持している複数の架橋部とを有し、前記リング状部材は前記内周縁に係合手段を有し、前記ホルダは、前記ホルダの前記円筒縁部に配設されると共に前記リング状部材を回転させることにより前記リング状部材の係合手段に係合される被係合手段を有し、前記ホルダの前記円筒縁部と前記リング状部材との間において前記板バネの前記内環部が固定されていることを特徴とする。
【００１６】
さらに、本発明に係るカメラモジュールは、前記リング状部材が、前記ホルダの変位範囲を規制するストッパであることが好ましい。
【発明の効果】
【００１７】
請求項１記載の発明に係るカメラモジュールは、板バネの内環部の係合手段と、ホルダの被係合手段と、ホルダの係止手段とを有していることを特徴とする。板バネの係合手段とホルダの被係合手段は板バネを回転させるだけで係合し、この板バネを回転させて係合させる際に、ホルダの係止手段は板バネの内環部側の基部をレンズユニットの光軸方向において係止する。従って、板バネを回転させるだけで板バネの内環部をホルダに取り付けることができ、従来のような合成樹脂による接着作業を必要とせず、カメラモジュールの製造時間の短縮化を図ることができる。また、合成樹脂による接着を用いずに板バネをホルダに固定することができるため、不完全な接着状態による板バネの剥離を防止することができる。
【００１８】
請求項２記載の発明に係るカメラモジュールは、リング状部材と、リング状部材の係合手段と、ホルダの被係合手段とを有し、リング状部材とホルダの円筒縁部との間に板バネの内環部が固定されている。そして、リング状部材をホルダに対して回転させるだけで板バネをホルダに取り付けることができる。このため従来のような合成樹脂による接着作業を必要とせず、カメラモジュールの製造時間の短縮化を図ることができる。また、板バネはリング状部材とホルダの間に固定されるため、板バネの取り付け作業の際に薄い金属板である板バネに回転力等を直接加える必要がない。従って、板バネの取り付け作業において板バネの応力歪の発生を防止することができる。
【００１９】
請求項３記載の発明に係るカメラモジュールは、ホルダの変位範囲を規制するストッパが、ホルダと共に板バネを固定するリング状部材としての役割を有している。従って、リング状部材を設けても部品点数が増加しない。
【発明を実施するための最良の形態】
【００２０】
以下、本発明に係る実施形態のカメラモジュールについて添付図面を参照しつつ詳細に説明する。
【００２１】
本実施形態のカメラモジュールは、カメラモジュールの光学系を構成するレンズユニット（図示せず）と、前記レンズユニットを収容すると共に前記レンズユニットの光軸方向に沿って変位可能であり、円筒縁部８ｂを有する円筒状のホルダ８と、前記ホルダ８に設けられているコイル７と、前記コイル７に磁界を提供するヨーク５及びマグネット６と、前記ホルダ８を支持する下部板バネ３０と、前記レンズユニットの下方に配置されている撮像素子（図示せず）とを有し、前記下部板バネ３０は、外環部３０ａと、前記外環部３０ａに対して変位すると共に前記ホルダ８に固定されている内環部３０ｂと、前記内環部側の基部３０ｄを有すると共に前記内環部３０ｂを前記外環部３０ａに対して支持している複数の架橋部３０ｃとを有し、前記内環部３０ｂは前記内環部３０ｂの外周縁に係合手段である切欠き３１を有し、前記ホルダ８は、前記ホルダ８の前記円筒縁部８ｂの周囲に配設されると共に前記下部板バネ３０を回転させることにより前記内環部３０ｂの前記係合手段である切欠き３１に係合される被係合手段である突起８０と、前記下部板バネ３０の前記内環部側の基部３０ｄを前記レンズユニットの光軸方向において係止する係止手段である押え片８３とを有していることを特徴とする。
【００２２】
最初に図１を参照しつつ本実施形態のカメラモジュールのアクチュエータ機構１について説明する。なお、撮像素子（図示せず）はベース１０の下方に配置されている。
【００２３】
カバー２とベース１０との間の空間には、レンズユニットを保持するバレル（図示せず）を保持しているホルダ８がレンズユニットの光軸方向へ変位可能に収容されている。
【００２４】
後述するように、ホルダ８の上側の円筒縁部８ａとストッパ３との間には上部板バネ２０の内環部２０ｂが固定されている。このストッパ３は、ホルダ８の過度の変位の際にカバー２の裏面と接触することにより、ホルダ８の上方への変位範囲を規制する。また、後述するようにホルダ８の下側の円筒縁部８ｂの周囲に形成されている段部８ｃには下部板バネ３０の内環部３０ｂが取付けられている。
【００２５】
上記ヨーク５には複数のマグネット片６が接着されており、アクチュエータ機構１の磁気回路を構成している。そしてこの磁気回路により形成された磁界にコイル７が配置されている。このコイル７はホルダ８の外周に巻回されており、コイル７に電流を供給することによりホルダ８をレンズユニットの光軸方向へ変位させることができる。なお、符号４により示す部材はコイル７へ電流を供給するためのフレキシブルプリント基板であり、符号９により示す部材は下部板バネ３０とヨーク５の底面との間に装着されるプレートである。
【００２６】
次に、図２ないし図５を参照しつつ下部板バネ３０とホルダ８について説明する。
下部板バネ３０はベリリウム銅製の金属板を打抜き加工したものであり、リング状の外環部３０ａと、この外環部３０ａと同軸に配置されているリング状の内環部３０ｂを有している。内環部３０ｂは３本の架橋部３０ｃにより外環部３０ａに支持されている。この架橋部３０ｃは円弧状の形状を有し、外環部３０ａの内周縁と内環部３０ｂの外周縁に沿うように延在している。また、各架橋部３０ｃは、外環部側の基部と内環部側の基部３０ｄとを有している。
【００２７】
下部板バネ３０の内環部３０ｂは、各架橋部３０ｃの内環部側の基部３０ｄの近傍において、内環部３０ｂの外周縁の３箇所に係合手段である凹状の切欠き３１を有している。また、各切欠き３１の側方には舌片３２が形成されている。
【００２８】
ホルダ８は合成樹脂製の円筒状部材であり、ホルダ８は下方に円筒縁部８ｂと円筒縁部８ｂの周囲に形成されている段部８ｃとを有している。この段部８ｃの表面の３箇所には、下部板バネ３０の切欠き３１と係合される被係合手段である突起８０が突出するように形成されている。各突起８０は楔状であり、傾斜面８０ａを有している（図５参照）。また、ホルダ８の外周壁の３箇所には、柱状の突出部８１がホルダ８の外周壁から外側に向かって突出するように形成されている。各突出部８１の側面には下部板バネ３０の各架橋部３０ｂの内環部側基部３０ｄをレンズユニットの光軸方向において係止する係止手段である押え片８３が形成されている。この押え片８３は架橋部３０ｃの内環部側の基部３０ｄの表面を係止する係止面８４を有する（図３参照）。なお、符号８２によって示されている突起はベース１０との接触用ボスである。
【００２９】
次に、下部板バネ３０をホルダ８に固定する際の固定作業について説明する。
最初に、図３に示すように、下部板バネ３０の内環部３０ｂをホルダ８の段部８ｃに落とし込む。次に、図３に示す矢印方向に下部板バネ３０を回転させてゆく。下部板バネ３０を回転させてゆくと、最初に、下部板バネ３０の架橋部３０ｃの内環部側の基部３０ｄの表面がホルダ８の押え片８３の係止面８４により係止されてゆき、内環部３０ｂのレンズユニットの光軸方向における移動を規制する。
【００３０】
さらに下部板バネ３０を回転させてゆくと、下部板バネ３０の舌片３２が段部８ｃの表面から突出している突起８０の傾斜面８０ａに乗り上げてゆく。この際、舌片３２と舌片３２の周囲の内環部３０ｂは撓むように若干変形する。
【００３１】
さらに下部板バネ３０を回転させてゆくと、舌片３２は突起８０を完全に乗り越える。そして、図４及び図５に示すように、突起８０が切欠き３１の内側に位置すると、舌片３２の側部と突起８０の側部８０ｂが当接し、下部板バネ３０の当該回転方向とは反対方向への移動を規制する。
【００３２】
一方、図４に示すように、舌片３２が突起８０を完全に乗り越え、突起８０が切欠き３１の内側に位置した際に、架橋部３０ｃの内環部側の基部３０ｄは突出部８１の側壁８１ａと当接し、下部板バネ３０の当該回転方向への移動を規制する。この状態において、下部板バネ３０のホルダ８に対する回転が完全に規制され、また、下部板バネ３０の内環部３０ｂの光軸方向における移動も押え片８３により規制されているため、下部板バネ３０はホルダ８にしっかりと固定されることになる。
【００３３】
なお、各架橋部３０ｃの内環部側の基部３０ｄの近傍に切欠き３１と舌片３２を形成したのは、内環部側の基部３０ｄと押え片８３との係止部分と、切欠き３１と突起８０との係合部分とを近接させるためである。即ち、切欠き３１と突起８０による係合部分に対して、内環部側の基部３０ｄと押え片８３との係止部分による光軸方向の係止力を効率的に加えることにより、切欠き３１から突起８０が離脱しにくくすることができる。
【００３４】
次に、図６ないし図９を参照しつつ上部板バネ２０、ストッパ３、及びホルダ８について説明する。なお、図６ないし図９において、ストッパ３とホルダ８の係合状態を明示するために上部板バネ２０は図示されていない。上部板バネ２０はストッパ３の下面３ｂ（図７参照）とホルダ８の円筒縁部８ａとの間に挟まれるようにして固定される。
【００３５】
上部板バネ２０は、下部板バネ３０と略同様の構成を有しており、ベリリウム銅製の金属板を打抜き加工したものである（図１参照）。上部板バネ２０は、リング状の外環部２０ａと、この外環部２０ａと同軸に配置されているリング状の内環部２０ｂを有している。内環部２０ｂは３本の架橋部２０ｃにより外環部２０ａに支持されている。この架橋部２０ｃは円弧状の形状を有し、外環部２０ａの内周縁と内環部２０ｂの外周縁に沿うように延在している。
【００３６】
ストッパ３は合成樹脂製のリング状部材であり、ホルダ８の過度の変位の際にカバー２の裏面と接触することによりホルダ８の変位範囲を規制する。後述するように、ストッパ３はホルダ８の上部の円筒縁部８ａに係合され上部板バネ２０を固定する。ストッパ３の内周縁３ａには３箇所に切欠き３ｃが形成されており、また、各切欠き３ｃは段部３ｄを有している（図７参照）。この切欠き３ｃと段部３ｄはリング状部材であるストッパ３の係合手段を構成している。
【００３７】
ホルダ８の上部の円筒縁部８ａには、上方に向かって突出している突出片８８が３箇所に形成されており、各突出片８８の上端部から係合片８９が水平方向外側に向かって突出している。この突出片８８と係合片８９はホルダ８の被係合手段を構成している。
【００３８】
次に、上部板バネ２０をストッパ３によりホルダ８へ固定する際の固定作業について説明する。
【００３９】
最初に、上部板バネ２０の内環部２０ｂをホルダ８の円筒縁部８ａに載置する。次に、図７に示すように、ホルダ８の円筒縁部８ａに載置されている上部板バネ２０の内環部２０ｂの上から、ホルダ８の各係合片８９がストッパ３の各切欠き３ｃの段部３ｄが存在しない部分を通過するようにストッパ３を載置する。次に、図８に示す矢印方向にストッパ３を回転させてゆくと、ホルダ８の各係合片８９の底面がストッパ３の段部３ｄの上面と重なり合ってゆく。さらにストッパ３を回転させ、図９に示すように、各係合片８９と段部３ｄとの係合を完了する。最後に、ストッパ３とホルダ８を合成樹脂により部分的に接着することによりストッパ３を回転不能とし、ストッパ３とホルダ８との間に上部板バネ２０が挟まれるように固定される。なお、この部分的な接着は従来の接着作業とは異なり、上部板バネ２０を直接ホルダ８に接着するものではない。
【００４０】
以下、本実施形態の作用効果を説明する。
本実施形態のカメラモジュールは、下部板バネ３０の係合手段である切欠き３１と、ホルダ８の被係合手段である突起８０と、係止手段である押え片８３とを有していることを特徴とする。係合手段である切欠き３１と被係合手段である突起８０は下部板バネ３０を回転させるだけで係合し、この下部板バネ３０を回転させて係合させる際に、係止手段である押え片８３は下部板バネ３０の内環部側の基部３０ｄをレンズユニットの光軸方向において係止する。従って、下部板バネ３０を回転させるだけで下部板バネ３０をホルダ８に取り付けることができ、従来のような合成樹脂による接着作業を必要とせず、カメラモジュールの製造時間の短縮化を図ることができる。また、合成樹脂による接着を用いずに下部板バネ３０をホルダ８に固定することができるため、不完全な接着状態による下部板バネ３０の剥離を防止することができる。
【００４１】
さらに、本実施形態のカメラモジュールは、リング状部材であるストッパ３の係合手段である切欠き３ｃ及び段部３ｄと、ホルダ８の被係合手段である突出片８８と係合片８９とを有し、ストッパ３とホルダ８の円筒縁部８ａとの間に上部板バネ２０の内環部２０ｂが固定されている。そして、ストッパ３をホルダ８に対して回転させるだけで上部板バネ２０をホルダ８に取り付けることができる。このため従来のような合成樹脂による接着作業を必要とせず、カメラモジュールの製造時間の短縮化を図ることができる。また、上部板バネ２０はストッパ３とホルダ８の間に固定されるため、上部板バネ２０の取り付け作業の際に薄い金属板である上部板バネ２０に回転力等を直接加える必要がない。従って、上部板バネ２０の取り付け作業において上部板バネ２０の応力歪の発生を防止することができる。
【００４２】
さらに、本実施形態のカメラモジュールは、ホルダ８の変位範囲を規制するストッパ３が、ホルダ８と共に上部板バネ２０を固定するリング状部材としての役割を有している。従って、リング状部材を設けても部品点数が増加しない。
【００４３】
上記実施形態は本発明の一例であり、例えば、下部板バネ３０とホルダ８とを係合させた後、下部板バネ３０とホルダ８とを部分的に接着し、下部板バネ３０をホルダ８に対して回転不能とすることも可能である。この場合、下部板バネ３０が回転不能となることにより、より確実にホルダ８に対して固定されることになる。
【図面の簡単な説明】
【００４４】
【図１】本発明に係る実施形態のカメラモジュールのアクチュエータ機構１の分解斜視図である。
【図２】図1に示すカメラモジュールのアクチュエータ機構１のホルダ８と下部板バネ３０との係合状態を示す斜視図であり、ホルダ８の下方の円筒縁部８ｂ側から見た状態を示している。
【図３】図1に示すカメラモジュールのアクチュエータ機構１のホルダ８と下部板バネ３０との係合前の状態を示す部分拡大斜視図である。
【図４】図1に示すカメラモジュールのアクチュエータ機構１のホルダ８と下部板バネ３０との係合状態を示す部分拡大斜視図である。
【図５】図1に示すカメラモジュールのアクチュエータ機構１のホルダ８の突起８０と下部板バネ３０の切欠き３１との係合状態を示す部分拡大斜視図である。
【図６】図１に示すカメラモジュールのアクチュエータ機構１のホルダ８とストッパ３との係合状態を示す斜視図であり、ホルダ８の上方の円筒縁部８ａ側から見た状態を示している。なお、上部板バネ２０は、ストッパ３とホルダ８の係合状態を明示するために図示されていない。
【図７】図１に示すカメラモジュールのアクチュエータ機構１のホルダ８とストッパ３との係合前の状態を示す部分拡大斜視図である。なお、上部板バネ２０は、ストッパ３とホルダ８の係合状態を明示するために図示されていない。
【図８】図１に示すカメラモジュールのアクチュエータ機構１のホルダ８とストッパ３との係合直前の状態を示す部分拡大斜視図である。なお、上部板バネ２０は、ストッパ３とホルダ８の係合状態を明示するために図示されていない
【図９】図１に示すカメラモジュールのアクチュエータ機構１のホルダ８とストッパ３との係合状態を示す部分拡大斜視図である。なお、上部板バネ２０は、ストッパ３とホルダ８の係合状態を明示するために図示されていない
【図１０】従来のカメラモジュールのアクチュエータ機構１００の分解斜視図である。
【符号の説明】
【００４５】
１、１００  アクチュエータ機構
２、１０１  カバー
３、１０２  ストッパ
３ａ  内周縁
３ｂ  下面
３ｃ  切欠き
３ｄ  段部
４、１０３  フレキシブルプリント基板
５、１０５  ヨーク
６、１０６  マグネット片
７、１０７  コイル
８、１０８  ホルダ
８ａ、８ｂ  円筒縁部
８ｃ  段部
９、１０９  プレート
１０、１１１  ベース
２０、１０４  上部板バネ
２０ａ、３０ａ、１０４ａ、１１０ａ  外環部
２０ｂ、３０ｂ、１０４ｂ、１１０ｂ  内環部
２０ｃ、３０ｃ、１０４ｃ、１１０ｃ  架橋部
３０、１１０  下部板バネ
３０ｄ  内環部側の基部
３１  切欠き
３２  舌片
８０  突起
８０ａ  傾斜面
８０ｂ  側部
８１  突出部
８１ａ  側壁
８２  接触用ボス
８３  押え片
８４  係止面
８８  突出片
８９  係合片
【図１】
2008058734.tif 000003
【図２】
2008058734.tif 000004
【図３】
2008058734.tif 000005
【図４】
2008058734.tif 000006
【図５】
2008058734.tif 000007
【図６】
2008058734.tif 000008
【図７】
2008058734.tif 000009
【図８】
2008058734.tif 000010
【図９】
2008058734.tif 000011
【図１０】
2008058734.tif 000012